(57)【要約】【課題】場面管理を有するAIディスプレイネットワーク放送システムを提供する。【解決手段】本考案の場面管理を有するAIディスプレイネットワーク放送システムは、ユーザーが入力する放送情報を受信すると共に、数個の通信リンクにより放送情報をAIワークステーションクラスタに伝送する数個の使用端装置からなり、AIワークステーションクラスタは、ネットワークにより使用端装置と連接すると共に、伝送する放送情報を受信し、且つ、放送情報を分類してプログラム工程に整理し、最後に、ディスプレイ装置によりプログラム工程を個別放送、或いは、群放送する。ディスプレイ装置は、更に、場面管理モジュールを有し、場面環境の変化を検出して数個の環境変数を生成し、AIワークステーションクラスタにフィードバックする。【選択図】図１
0003131664.tif 000002
【実用新案登録請求の範囲】
【請求項１】
現場場面管理のAIディスプレイネットワーク放送システムであって、
ユーザーが入力する放送情報を受信すると共に、数個の通信リンクにより前記放送情報を伝送する数個の使用端装置と、
環境変化を検知して、数個の環境変数を生成し、特定条件と環境により決定される放送プログラムを動態表示する数個のディスプレイ装置と、
前記通信リンクにより前記使用端装置と連接し、前記放送情報を受信するAIワークステーションクラスタと、
からなり、前記AIワークステーションクラスタは、
前記放送情報を受信してプログラム工程を処理するユーザー管理インターフェースと、
前記ディスプレイ装置に連接され、環境変数によりディスプレイ装置の前記プログラム工程の個別放送、或いは、グループ放送を管理するAI制御ユニットと、
からなることを特徴とするシステム。
【請求項２】
前記使用端装置はコンピュータ、携帯電話、有線電話、或いは、ファックスであることを特徴とする請求項１に記載のシステム。
【請求項３】
前記通信リンクは、電話回線、光ファイバーケーブル、インターネット、ローカルエリアネットワーク、或いは、無線通信リンクであることを特徴とする請求項１に記載のシステム。
【請求項４】
前記ディスプレイ装置は、LEDディスプレイ、反射型液晶表示パネル（LCOS）、液晶ディスプレイ（LCD）、プラズマディスプレイ（PDP）、有機発光ダイオードディスプレイ（OLED）、或いは、陰極線管（CRT）ディスプレイであることを特徴とする請求項１に記載のシステム。
【請求項５】
前記AIワークステーションクラスタは、更に、ウェブサイトを有し、ユーザー情報と放送内容を処理することを特徴とする請求項１に記載のシステム。
【請求項６】
前記環境変数は、温度、湿度、音量、人、車輌の流量からなる群から少なくとも一つ選択されることを特徴とする請求項１に記載のシステム。
【請求項７】
前記ディスプレイ装置は、更に、場面管理モジュールを有し、環境変化を検出して数個の環境変数、或いは、情報を生成すると共に、前記AIワークステーションクラスタに伝送し、前記場面管理モジュールは、
視覚信号を受信するイメージ監視ユニットと、
聴覚信号を受信する音声検出ユニットと、
環境変化の温度変化を受信、測量する温度測定ユニットと、
ディスプレイ領域の移動物流流量を受信する流量測定ユニットと、
ユーザー入力情報を受信する入力装置と、
からなることを特徴とする請求項１に記載のシステム。
【請求項８】
前記イメージ監視ユニットはCCD又はCMOSイメージセンサーであることを特徴とする請求項７に記載のシステム。
【請求項９】
前記音声検出ユニットはマイクロフォンであることを特徴とする請求項７に記載のシステム。
【請求項１０】
前記温度測定ユニットはNTCセンサーであることを特徴とする請求項７に記載のシステム。
【請求項１１】
前記流量測定ユニットはIrDAセンサーであることを特徴とする請求項７に記載のシステム。
【請求項１２】
前記入力装置はキーボード、タッチパッド、或いは、タッチスクリーンであることを特徴とする請求項７に記載のシステム。
【請求項１３】
前記入力情報は、画像、音声からなる群から少なくとも一つ選択されることを特徴とする請求項７に記載のシステム。
【考案の詳細な説明】
【技術分野】
【０００１】
本考案は、ネットワーク放送システムに関するものであって、特に、場面管理を有するAI(artificial intelligent)ディスプレイネットワーク放送システムに関するものである。
【背景技術】
【０００２】
看板は社会において絶好の情報伝達媒体である。学校、会社、公務機関の掲示欄、市町村の告知板、商店の広告看板、交通手段の車内、車外の広告看板等、看板が有する情報交流能力は、商業活動と社会の需要により、更に多くの表現材料、更に多くの設備、地点、応用領域の多様変化を必要としている。
【０００３】
科学技術の進歩に伴い、生成される看板の趨勢において、目を引くカラーLEDディスプレイ画面が情報を多様多彩に表現することができるだけでなく、表現されるパターンテキストは高彩度、高輝度、高画質、及び、動態情報表現可能な特色を有し、これは、平面看板で表現できない高度なリアル感がある。更に、LEDディスプレイはラッパ等のオーディオ設備を設置し、立体感と臨場感を表現することができるので、情報を受信する者の共鳴を得て、宣伝目的を達成する。
【０００４】
LEDディスプレイ画面は本来の看板より更なる立体感、臨場感、及び、リアル感を有するが、看板、或いは、LEDディスプレイは単一方向活動の情報伝達工具であるので、特定の人、及び、団体組織を経ないと、情報の創造、製作、発表する権利がない。
【０００５】
また、インターネットの振興により情報伝達の便利性がもたらされているが、インターネットの開放性と包容性により、異なる個体はそれぞれの使用端、例えば、コンピュータ、ノート型パソコン、タブレット型パソコン、携帯電話、或いは、PDA等により、自分の伝達したい、表現したい内容を製作する。
【考案の開示】
【考案が解決しようとする課題】
【０００６】
上述の問題を解決するため、本考案は、場面管理を有するAIディスプレイネットワーク放送システムを提供し、ユーザーはインターネット、携帯電話、有線電話等の通信設備により、直接、表現したい情報、画像、音声をAI制御ユニットに連結し、表示端の現場状況検出システムにより、適時、適所で公開再生できるようにすることを目的とする。
【０００７】
本考案は、場面管理を有するAIディスプレイネットワーク放送システムを提供し、ワイヤレス伝送により、数個の表示媒体に個別再生、領域群再生、或いは、放送を実行させることができるようにすることを目的とする。
【０００８】
本考案は、場面管理を有するAIディスプレイネットワーク放送システムを提供し、AI制御によりディスプレイが人員による操作なしに自動再生する便利性を達成することを目的とする。
【０００９】
本考案は、場面管理を有するAIディスプレイネットワーク放送システムを提供し、AIワークステーションクラスタにより、個人、或いは、小団体が同時放送システムを使用し、ワイヤレス伝送して、即時に再生内容を監視できるようにすることを目的とする。
【課題を解決するための手段】
【００１０】
上述の目的を達成するため、本考案の場面管理を有するAIディスプレイネットワーク放送システムは、ユーザーが入力する放送情報を受信すると共に、数個の通信リンクにより放送情報を伝送する数個の使用端装置と、環境変化を検知して、数個の環境変数を生成し、特定条件と環境により決定される放送プログラムを動態表示する数個のディスプレイ装置と、通信リンクにより使用端装置と連接し、放送情報を受信するAIワークステーションクラスタと、からなり、AIワークステーションクラスタは、放送情報を受信してプログラム工程を処理するユーザー管理インターフェースと、ディスプレイ装置に連接され、環境変数によりディスプレイ装置のプログラム工程の個別放送、或いは、グループ放送を管理するAI制御ユニットと、からなる。
【考案の効果】
【００１１】
本考案の場面管理を有するAIディスプレイネットワーク放送システムにより、商業広告、個人メッセージ、或いは、コンサートプログラム等の内容情報の個別、クラスタ、或いは、連合放送に適用できる。
【考案を実施するための最良の形態】
【００１２】
図１は、本考案の実施例によるAIディスプレイネットワーク放送システムの構造図である。本ネットワーク放送システムは、ユーザーが入力する放送情報を受信すると共に、数個の通信リンクにより放送情報を伝送する数個の使用端装置１１、１２、１３、１４と、環境変化を検知して、数個の環境変数を生成し、特定条件と環境により決定される放送プログラムに従い、動態表示できる数個のディスプレイ装置３１、３２、３３、３４と、各種通信リンクにより使用端装置１１、１２、１３、１４と連接し、放送情報を受信するAIワークステーションクラスタ２０と、からなり、AIワークステーションクラスタ２０は、使用端装置１１、１２、１３、１４に連接して、放送情報を受信してプログラム工程を処理するユーザー管理インターフェース２０３と、ディスプレイ装置３１、３２、３３、３４に連接され、ディスプレイ装置３１、３２、３３、３４の個別放送、或いは、群放送を制御するAI制御ユニット２０２と、からなる。この他、AIワークステーションクラスタ２０は、ウェブサイト２０１を有し、ユーザー情報と放送情報を処理する。
【００１３】
上述の実施例中、使用端装置１１、１２、１３、１４はインターネット、電話回線、光ファイバーケーブル、無線通信等の径路でデータを伝送し、迅速、且つ、便利で、ユーザーは廉価な費用で広告、或いは、情報を掲載することができる。この他、AI制御ユニット２０２はインターネットにより即時に複数台のディスプレイ装置３１、３２、３３、３４を監視し、メンテナンス費用が低く、且つ、正確に実行できる。ディスプレイ装置はLEDディスプレイ、反射型液晶表示パネル（LCOS）、液晶ディスプレイ（LCD）、プラズマディスプレイパネル（PDP）、有機発光ダイオード（OLED）、或いは、陰極線管（CRT）ディスプレイである。
【００１４】
図２は本考案のもう一つの実施例による場面管理を有するAIディスプレイネットワーク放送システムの構造図であり、現場使用端４０は、コンピュータ４１、ファックス４２、有線電話４３、携帯電話４４等の通信設備、AIシステムワークステーション５０、及び、数個のLEDディスプレイ６１、６２、６３、６４を有する。ユーザーは使用端４０で再生したい情報データを通信リンク、例えば、電話回線、光ファイバーケーブル、インターネット、或いは、ワイヤレス通信等の設備により、AIワークステーション５０に伝送する。AIワークステーション５０はウェブサイト５０１、AI制御ユニット５０２、及び、ユーザー管理インターフェース５０３、を有し、ウェブサイト５０１はユーザー情報、及び、放送内容を受信し、ユーザー管理インターフェース５０３は放送工程を手配し、AI制御ユニット５０２は放送者がLEDディスプレイ６１、６２、６３、６４を操作するのをシミュレーションし、上述の各素子間は有線、或いは、無線で情報を伝達する。
【００１５】
この他、ウェブサイト５０１は、編集された情報、及び、画像フォーマットをクライアントに提供し、放送プログラムを提供して放送を受け入れさせ、システムは、放送したい広告内容を受信した後、時間を計算し、クライアントのIDが間違いないことを確認後、情報確認し、放送の時間、地点、方式を回答し、状況的放送方式でもいいし、定時定点放送方式でもよい。ウェブサイト５０１で放送時間表と内容を検索することができ、ファックス、室内電話、或いは、携帯電話により放送を実行できる。
【００１６】
更に、上述の説明中、LEDディスプレイ６１、６２、６３、６４は場面管理モジュールを有し、環境変化を検知して、数個の環境変数を生成し、AI制御ユニット５０２に伝送する。場面管理モジュールは、視覚信号、例えば、電荷結合素子（CCD）、或いは、相補型MOS画像センサー等を受信する画像監視ユニットと、聴覚信号を受信し、マイクロフォンである音声検出ユニットと、環境変化データ、負の温度係数（NTC）を受信する環境温度検出ユニットと、現場移動物体流量データの変化を受信し、赤外線素子（IrDA）である流量検出ユニットと、キーボード又はタッチパッドである入力装置と、からなる。
【００１７】
本実施例中、場面管理モジュールはLEDディスプレイ６１、６２、６３、６４にその地区の環境データ、例えば、音声、画像、温度を受信させるか、或いは、提供情報、放送内容のユーザーに対し、人、車輌の通行量の多寡に対し、フィードバックのパラメータをAI制御ユニット５０２に提供し、AI制御ユニット５０２は受信したパラメータを各種条件により再生するプログラム内容と放送工程を決定し、これにより、画像放送を更に効果のある同時放送システムにする。
【００１８】
上述のように、本考案の特徴は、ユーザーに、コンピュータ、電話、ファックス等の通信機器により公開したい情報を伝送し、LEDディスプレイの普遍利用性を高め、且つ、現場状況実況放送能力は、放送センターにより統一管理され、各パネルに平均分担され、管理コストが低く、クライアント群性により、知能状況放送、群放送、或いは、個別放送を選択し、効果が高い。
【００１９】
上述を総合すると、本考案は場面管理を有するAIディスプレイネットワーク放送システムを提供し、特に、AIと現場場面管理のディスプレイ画面同時放送システムは、商業広告、個人メッセージ、或いは、コンサートプログラム等の内容情報の個別、クラスタ、或いは、連合放送に適用できる。
【００２０】
本考案の好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【図面の簡単な説明】
【００２１】
【図１】本考案の実施例による場面管理を有するAIディスプレイネットワーク放送システムの構造図である。
【図２】本考案のもう一つの実施例による場面管理を有するAIディスプレイネットワーク放送システムの構造図である。
【符号の説明】
【００２２】
１１、１２、１３、１４  使用端装置
２０  AIワークステーションクラスタ
２０１  ウェブサイト
２０２  AI制御ユニット
２０３  ユーザー管理インターフェース
３１、３２、３３、３４  ディスプレイ装置
４０  使用端
４１  コンピュータ
４２  ファックス
４３  有線電話
４４  携帯電話
５０  AIシステムワークステーション
５０１  ウェブサイト
５０２  AI制御ユニット
５０３  ユーザー管理インターフェース
６１、６２、６３、６４  LEDディスプレイ
【図１】
0003131664.tif 000003
【図２】
0003131664.tif 000004